(57)【特許請求の範囲】
【請求項１】
ハウジングとリアホルダとを該リアホルダに設けた錠止突起を有する錠止アームにより前記ハウジングに設けた係止溝に錠止する電気コネクタの錠止構造において、前記錠止アームの先端の前記錠止突起の側部に被押圧部を形成し、該被押圧部に両側に規制部を設けた案内面を形成し、錠止状態を解除するための治具を前記錠止アームと平行に前記案内面に沿って挿入して前記被押圧部を押圧することにより前記錠止アームを撓ませて、前記被押圧部と共に前記錠止突起を移動して前記係止溝に対する前記錠止を解除することを特徴とする電気コネクタ用リアホルダの錠止構造。
【請求項２】
前記被押圧部の端面を前記錠止突起の端面よりも前記治具の挿入側に位置させた請求項１に記載の電気コネクタ用リアホルダの錠止構造。
【請求項３】
前記治具の挿入側に位置する前記錠止アームの端面を前記治具の挿入方向と略直交する平面とした請求項１に記載の電気コネクタ用リアホルダの錠止構造。
【発明の詳細な説明】
【０００１】
【発明の属する技術分野】
本発明は、例えば接続端子を収容したハウジングと、接続端子を錠止するリアホルダとを錠止アームにより錠止する電気コネクタ用リアホルダの錠止構造に関するものである。
【０００２】
【従来の技術】
近年のワイヤハーネス等に使用可能な電気コネクタは、ハウジングに収容した接続端子をハウジングに一体に設けた係止ランスにより係止したり、或いはハウジングの後部に別体として係合したリアホルダの係止ランスにより係止することもある。
【０００３】
特に、後者の電気コネクタはハウジングにリアホルダを錠止するための錠止構造を備え、この種の錠止構造は図１０に示すような形状の錠止アーム１を備えている。この錠止アーム１のアーム部２は可撓性を有してリアホルダと一体になっており、ハウジングは錠止アーム１の錠止突起３が係合する係合溝を備えている。
【０００４】
リアホルダをハウジングに対して押し込んだ際には、錠止アーム１のアーム部２は撓みながら所定位置まで進行し、その後にアーム部２の復元力によって錠止突起３がハウジングの係合溝に係合する。そして、リアホルダをハウジングから離脱させる場合には、治具Ｔをハウジングの後方から被押圧部４の内面４ａ側に挿入し、被押圧部４を押圧してアーム部２を撓ませ、錠止突起３を係合溝から出現させた後にリアホルダを後方に移動させる。
【０００５】
【発明が解決しようとする課題】
しかしながら上述の従来例では、錠止アーム１の錠止突起３と被押圧部４が治具Ｔの挿入方向の同一直線上に位置するため、治具Ｔを被押圧部４の内面４ａ側に挿入した際に、治具Ｔの先端が案内面３ａを含む錠止突起３に衝突し、錠止突起３が治具Ｔによって削られて損傷するという問題点がある。
【０００６】
本発明の目的は、上述の問題点を解消し、錠止突起が治具によって損傷することを防止し得る電気コネクタ用リアホルダの錠止構造を提供することにある。
【０００７】
【課題を解決するための手段】
上記目的を達成するための本発明に係る電気コネクタ用リアホルダの錠止構造は、ハウジングとリアホルダとを該リアホルダに設けた錠止突起を有する錠止アームにより前記ハウジングに設けた係止溝に錠止する電気コネクタの錠止構造において、前記錠止アームの先端の前記錠止突起の側部に被押圧部を形成し、該被押圧部に両側に規制部を設けた案内面を形成し、錠止状態を解除するための治具を前記錠止アームと平行に前記案内面に沿って挿入して前記被押圧部を押圧することにより前記錠止アームを撓ませて、前記被押圧部と共に前記錠止突起を移動して前記係止溝に対する前記錠止を解除することを特徴とする。
【０００８】
【発明の実施の形態】
図１は参考例の背面図、図２は図１のＡ部拡大図、図３は部分水平断面図であり、ハウジング１１の後部にリアホルダ１２が例えば両側の２個所の錠止構造を介して錠止されている。これらのハウジング１１とリアホルダ１２は例えば合成樹脂材料から成形されており、ハウジング１１の内部には複数の端子収容室１３が例えば２段に形成されている。ハウジング１１の側壁１４の外面１４ａには、係合溝１５と案内溝１６が上下方向に隣接して設けられており、案内溝１６はハウジング１１の後方から視認可能な位置に形成されている。そして、リアホルダ１２の側壁１７には錠止アーム１８が一体に設けられていると共に、錠止アーム１８の外方への移動を許容する窓１９が形成されている。
【０００９】
図４は錠止アーム１８の部分斜視図であり、錠止アーム１８のアーム部２１は可撓性を有し、リアホルダ１２の側壁１７に軸線に沿う方向に向けて一体に設けられている。アーム部２１の内面２１ａはハウジング１１の側壁１４の外面１４ａに当接可能とされている。アーム部２１の後部にはハウジング１１の係合溝１５に係合可能な錠止突起２２が設けられており、この錠止突起２２には案内面２２ａと端面２２ｂが形成されている。
【００１０】
そして、アーム部２１の一側面２１ｂには、治具ＴによってＢ方向に押圧される被押圧部２３が一体に設けられている。被押圧部２３は錠止突起２２の側方に位置付けられ、アーム部２１の内面２１ａと被押圧部２３の内面２３ａは同一平面内に配置され、被押圧部２３の端面２３ｂ側には治具Ｔを案内する案内面２３ｃが設けられている。そして、錠止突起２２の端面２２ｂと被押圧部２３の端面２３ｂは、治具Ｔの挿入方向と略直交する同一平面内に配置されている。
【００１１】
リアホルダ１２をハウジング１１に対して十分に押し込んだ際には、錠止アーム１８のアーム部２１が撓みながら所定位置まで進行し、その後にアーム部２１の復元力により錠止突起２２がハウジング１１の係合溝１５に係合する。このとき、アーム部２１の内面２１ａと被押圧部２３の内面２３ａはハウジング１１の側壁１４の外面１４ａに当接し、ハウジング１１とリアホルダ１２は錠止状態になる。
【００１２】
一方、リアホルダ１２をハウジング１１から離脱させる際には、ハウジング１１の後方から案内溝１６を視認しながら治具Ｔの先端を案内溝１６に挿入する。次に、図５に示すように治具Ｔにより被押圧部２３を押圧してアーム部２１を外方に撓ませる。そして、錠止突起２２を係合溝１５から出現させた後に、図６に示すようにリアホルダ１２を後方へ移動させる。
【００１３】
このように、図１〜図６に示す参考例では治具Ｔによって押圧される被押圧部２３を錠止突起２２の側方に一体に設けたので、ハウジング１１とリアホルダ１２の錠止状態を解除する際に治具Ｔが錠止突起２２に衝突することはなく、錠止突起２２が治具Ｔにより削られて損傷することはない。また、ハウジング１１に案内溝１６を視認可能な位置に設けたので、治具Ｔの挿入が容易になる上に、治具Ｔが錠止突起２２側にずれることがなく、治具Ｔが錠止突起２２に衝突することを確実に防止できる。更に、錠止突起２２の端面２２ｂを治具Ｔの挿入方向と略直交する平面としたので、治具Ｔが端面２２ｂを滑動して錠止突起２２と側壁１４の間に進入することはない。
【００１４】
そして、図７に示すように被押圧部２３の端面２３ｂを錠止突起２２の端面２２ｂよりも後方に位置させれば、治具Ｔが錠止突起２２に衝突することをより確実に防止できる。
【００１５】
図８は実施例の斜視図であり、被押圧部２３’の案内面２３ｃの両側に規制部２３ｄ、２３ｅを設ければ、治具Ｔが錠止突起２２側にずれることをより確実に防止でき、ハウジング１１の案内溝１６が不要となる。
【００１６】
更に、図９の変形例に示すように幅の狭い錠止突起２２’とすれば、治具Ｔと錠止突起２２’の間隔が大きくなり、仮に治具Ｔが錠止突起２２側にずれてもそれに衝突することはない。また、被押圧部２３”の案内面２３ｃを含む溝２３ｆを設ければ、治具Ｔが錠止突起２２側にずれる虞れが更に減少し、錠止突起２２’に衝突することを最も確実に防止でき、この場合にもハウジング１１の案内溝１６が不要となる。
【００１７】
【発明の効果】
以上説明したように本発明に係る電気コネクタ用リアホルダの錠止構造では、ハウジングとリアホルダの錠止を解除するための治具により押圧される被押圧部の案内面の両側に規制部を設けると共に、被押圧部を錠止突起の側方に配置して錠止アームと一体に設けたので、治具が被押圧部に挿入された際に錠止突起に衝突することがなく、錠止突起が治具によって損傷することはない。また、ハウジングに治具挿入のための案内溝を設ける必要もない。
【図面の簡単な説明】
【図１】  参考例の背面図である。
【図２】  図１のＡ部拡大図である。
【図３】  部分水平断面図である。
【図４】  錠止アームの部分斜視図である。
【図５】  作用説明図である。
【図６】  作用説明図である。
【図７】  錠止アームの他の参考例の部分斜視図である。
【図８】  錠止アームの実施例の部分斜視図である。
【図９】  錠止アームの変形例の部分斜視図である。
【図１０】  従来例の錠止アームの部分斜視図である。
【符号の説明】
１１  ハウジング
１２  リアホルダ
１５  係合溝
１６  案内溝
１８  錠止アーム
２１  アーム部
２２、２２’  錠止突起
２２ｂ、２３ｂ  端面
２３、２３’、２３”  被押圧部
【図１】
0004450462.tif 000002
【図２】
0004450462.tif 000003
【図３】
0004450462.tif 000004
【図４】
0004450462.tif 000005
【図５】
0004450462.tif 000006
【図６】
0004450462.tif 000007
【図７】
0004450462.tif 000008
【図８】
0004450462.tif 000009
【図９】
0004450462.tif 000010
【図１０】
0004450462.tif 000011